(57)【要約】本発明の照明装置１２は、並列配置された複数の管状光源１７と、前記管状光源の光出射側とは反対側に配設された光反射部材４０と、を備え、前記管状光源の配列は、その配列間隔が相対的に狭い狭間隔部分１７Ａと、相対的に広い広間隔部分１７Ｂとを有して構成され、前記光反射部材には、開口部５０が形成されており、前記開口部５０は、前記光反射部材４０全体に対する当該開口部５０の形成比率である開口率が、前記狭間隔部分１７Ａにおいて、前記広間隔部分１７Ｂよりも大きくなるように形成されてなることを特徴とする。
2009004840.tif 000002
【特許請求の範囲】
【請求項１】
並列配置された複数の管状光源と、前記管状光源の光出射側とは反対側に配設された光反射部材と、を備え、
前記管状光源の配列は、その配列間隔が相対的に狭い狭間隔部分と、相対的に広い広間隔部分とを有して構成され、
前記光反射部材には、開口部が形成されており、
前記開口部は、前記光反射部材全体に対する当該開口部の形成比率である開口率が、前記狭間隔部分において、前記広間隔部分よりも大きくなるように形成されてなることを特徴とする照明装置。
【請求項２】
前記狭間隔部分は、前記複数の管状光源の並び方向に対し、前記広間隔部分の内側に位置することを特徴とする請求の範囲第１項に記載の照明装置。
【請求項３】
前記狭間隔部分は、当該管状光源の配列中央部に位置する一方、前記広間隔部分は当該管状光源の配列端部に位置することを特徴とする請求の範囲第１項又は請求の範囲第２項に記載の照明装置。
【請求項４】
前記開口部は、前記管状光源の軸線方向に複数形成されており、当該方向に隣接する前記開口部同士の間隔が、前記狭間隔部分において、前記広間隔部分よりも小さくされてなることを特徴とする請求の範囲第１項ないし請求の範囲第３項のいずれか１項に記載の照明装置。
【請求項５】
前記開口部は、前記管状光源の並列方向に複数形成されており、当該方向に隣接する前記開口部同士の間隔が、前記狭間隔部分において、前記広間隔部分よりも小さくされてなることを特徴とする請求の範囲第１項ないし請求の範囲第４項のいずれか１項に記載の照明装置。
【請求項６】
前記開口部は、その面積が、前記狭間隔部分において、前記広間隔部分よりも大きくなるように形成されてなることを特徴とする請求の範囲第１項ないし請求の範囲第５項のいずれか１項に記載の照明装置。
【請求項７】
前記管状光源は、相対的に高電圧となる高電圧部分と、相対的に低電圧となる低電圧部分とを有し、
前記開口部は、前記光反射部材全体に対する当該開口部の形成比率である開口率が、前記高電圧部分において、前記低電圧部分よりも大きくなるように形成されてなることを特徴とする請求の範囲第１項ないし請求の範囲第６項のいずれか１項に記載の照明装置。
【請求項８】
前記開口部は、前記管状光源の軸線方向に複数形成されており、当該方向に隣接する前記開口部同士の間隔が、前記高電圧部分において、前記低電圧部分よりも小さくされてなることを特徴とする請求の範囲第７項に記載の照明装置。
【請求項９】
前記開口部は、前記管状光源の並列方向に複数形成されており、当該方向に隣接する前記開口部同士の間隔が、前記高電圧部分において、前記低電圧部分よりも小さくされてなることを特徴とする請求の範囲第７項又は請求の範囲第８項に記載の照明装置。
【請求項１０】
前記開口部は、その面積が、前記高電圧部分において、前記低電圧部分よりも大きくなるように形成されてなることを特徴とする請求の範囲第７項ないし請求の範囲第９項のいずれか１項に記載の照明装置。
【請求項１１】
前記管状光源と、前記開口部を有する前記光反射部材と、を収容するシャーシを備え、
前記シャーシは、金属製の板金からなり、
前記光反射部材の光反射率は、前記シャーシの光反射率よりも大きくされてなることを特徴とする請求の範囲第１項ないし請求の範囲第１０項のいずれか１項に記載の照明装置。
【請求項１２】
前記シャーシは、その表面のうち、少なくとも内側面の表面に白色系の色の塗装がなされていることを特徴とする請求の範囲第１１項に記載の照明装置。
【請求項１３】
前記シャーシは、その表面のうち、少なくとも内側面の表面に灰色系の色又は黒色の塗装がなされていることを特徴とする請求の範囲第１１項に記載の照明装置。
【請求項１４】
前記光反射部材と前記シャーシとの間には、透明又は白色系の部材が挿入されていることを特徴とする請求の範囲第１１項ないし請求の範囲第１３項のいずれか１項に記載の照明装置。
【請求項１５】
前記光反射部材と前記シャーシとの間には、灰色系又は黒色の部材が挿入されていることを特徴とする請求の範囲第１１項ないし請求の範囲第１３項のいずれか１項に記載の照明装置。
【請求項１６】
前記光源と、前記開口部を有する前記光反射部材と、を収容するシャーシを備え、
前記シャーシは、樹脂成形品からなり、
前記光反射部材の光反射率は、前記シャーシの光反射率よりも大きくされてなることを特徴とする請求の範囲第１項ないし請求の範囲第１０項のいずれか１項に記載の照明装置。
【請求項１７】
前記管状光源を前記シャーシに支持するための光源支持部を備え、
前記光反射部材には、前記光源支持部が挿通するための挿通孔が設けられており、
前記開口部と前記挿通孔とは、互いに異なる面積とされてなることを特徴とする請求の範囲第１１項ないし請求の範囲第１６項のいずれか１項に記載の照明装置。
【請求項１８】
前記管状光源を前記シャーシに支持するための光源支持部を備え、
前記光反射部材には、前記光源支持部が挿通するための挿通孔が設けられており、
前記開口部と前記挿通孔とは、互いに異なる形状とされてなることを特徴とする請求の範囲第１１項ないし請求の範囲第１６項のいずれか１項に記載の照明装置。
【請求項１９】
前記開口部は、複数形成されるとともに、それぞれ千鳥状に配置されていることを特徴とする請求の範囲第１項ないし請求の範囲第１８項のいずれか１項に記載の照明装置。
【請求項２０】
前記開口部は、複数形成されるとともに、それぞれ並列配置されていることを特徴とする請求の範囲第１項ないし請求の範囲第１８項のいずれか１項に記載の照明装置。
【請求項２１】
前記開口部は、前記光反射部材をパンチングして形成されたことを特徴とする請求の範囲第１項ないし請求の範囲第２０項のいずれか１項に記載の照明装置。
【請求項２２】
前記開口部は、前記光反射部材をプロッターカットして形成されたことを特徴とする請求の範囲第１項ないし請求の範囲第２０項のいずれか１項に記載の照明装置。
【請求項２３】
請求の範囲第１項ないし請求の範囲第２２項のいずれか１項に記載の照明装置と、当該照明装置の照明光の出射側に配される表示パネルとからなる表示装置。
【請求項２４】
前記表示パネルは、一対の基板間に液晶を封入してなる液晶パネルとされる請求の範囲第２３項に記載の表示装置。
【請求項２５】
請求の範囲第２３項又は請求の範囲第２４項に記載された表示装置を備えるテレビ受信装置。
【発明の詳細な説明】
【技術分野】
【０００１】
本発明は、照明装置、表示装置及びテレビ受信装置に関する。
【背景技術】
【０００２】
液晶表示装置に代表される非発光型の光学素子を用いた表示装置においては、液晶パネル等の表示パネルに対して光を照射すべく、当該表示パネルの背面にはバックライト装置が設けられている（例えば特許文献１参照）。【０００３】
特許文献１には、複数の光源の液晶表示素子側と反対側に配置された反射部材において、液晶表示素子の表示面に直交する方向から複数の光源を反射部材に射影したときに、当該複数の光源が射影される位置に、少なくとも１個の開口部を設けることにより、光源自身が発する熱により光源の発光効率が低下することを防止する技術が開示されている。【０００４】
近年の液晶表示装置の大型化、省電力化の要望に伴い、液晶表示装置の光源に関する課題も顕在化してきており、上記の発光効率に関するものに加えて、輝度ムラ発生或いはランプイメージ発生等の輝度分布の不均一に関するものも大きな課題として挙げられる。【０００５】
輝度分布の不均一に関しては、例えば、特許文献２には、光学部材に寸法が５００μｍ以下の透過率調整体を多数個設けて、かつ、当該透過率調整体を所定のパターン密度分布で配置することにより均質な光源を得る技術が開示されている。【０００６】
また、特許文献３には、複数の直管型ランプを、表示パネルの表示画面の左右長手方向に沿って略平行に配置するとともに、当該直管型ランプ間の距離を、表示パネルの表示画面中心部で狭く、表示画面の上下端に近づくにしたがって等比率のピッチで広くなるように設定（当該構成を不等ランプピッチとも言う）する技術が開示されている。この技術は、人間の目が、通常、画面中心に注意が注がれるため、画面端の明るさが画面中央に比較して、若干、暗くても気にならないことに着目することで、面光源輝度の均一性を維持しつつ、ランプ数を減少させることができ省電力化を実現する効果を奏している。
【特許文献１】特開２００２−１９６３２６公報
【特許文献２】特開２００７−１７９４１公報
【特許文献３】特許第３６４２７２３号公報
【０００７】
（発明が解決しようとする課題）
しかしながら、輝度分布の不均一という課題に関しては、まだ十分に対策が施されたと言える状況ではなく、液晶表示装置の大画面化を踏まえて更なる技術開発が急務である。特に、特許文献３に記載の不等ランプピッチにおいては、ランプ配置位置と画面全体の輝度との関係が非常に敏感であり、画面端ではランプ間隔が広くなるために光量が不足して輝度ムラが発生したり、或いは十分に光を反射することができずにランプイメージが発生したりという表示ムラが生ずる場合があった。
【発明の開示】
【０００８】
本発明は、上記のような事情に基づいてなされたものであって、簡便な構成により部分的に照明輝度を調整することで照明輝度分布をなだらかにすることが可能な照明装置を提供することを目的としている。また、本発明は、そのような照明装置を備えた表示装置、さらに、そのような表示装置を備えたテレビ受信装置を提供することを目的としている。
【０００９】
（課題を解決するための手段）
上記課題を解決するために、本発明の照明装置は、並列配置された複数の管状光源と、前記管状光源の光出射側とは反対側に配設された光反射部材と、を備え、前記管状光源の配列は、その配列間隔が相対的に狭い狭間隔部分と、相対的に広い広間隔部分とを有して構成され、前記光反射部材には、開口部が形成されており、前記開口部は、前記光反射部材全体に対する当該開口部の形成比率である開口率が、前記狭間隔部分において、前記広間隔部分よりも大きくなるように形成されてなることを特徴とする。
【００１０】
このような照明装置によると、管状光源の配列について、その配列間隔が相対的に狭い狭間隔部分と相対的に広い広間隔部分とを設けたため、狭間隔部分側においては、照明輝度を広間隔部分側よりも相対的に高めることが可能となる。一方、広間隔部分側においては、当該間隔を相対的に広くすることで管状光源の設置数減少によるコスト削減に寄与することが可能となる。なお、照明装置の用途により、部分的に高輝度で照明する領域と低輝度で照明する領域とに分けることが好ましい場合があり、例えば当該照明装置を利用して表示を行う表示装置においては、表示画面外側（周辺部分）は相対的に明るい表示を必要とせず、逆に表示画面内側（中心部分）は明るい表示を必要とする傾向にあるため、広間隔部分を表示装置外側、狭間隔部分を表示装置内側とすることが好ましい。
【００１１】
ところで、上記のように管状光源の配列間隔に相違をもたせる場合には、相対的に照明輝度の高い狭間隔部分と相対的に照明輝度の低い広間隔部分との配置のバランスが非常に重要である。当該狭間隔部分と当該広間隔部分との照明輝度差が過大になると、全体として照明輝度分布が不均一となり、例えば当該照明装置を用いた表示装置において輝度ムラが生じる場合があった。
【００１２】
本発明では、上記のように管状光源の配列に相違をもたせる構成に加えて、光反射部材に開口部を設けて、当該開口部の光反射部材全体に対する形成比率である開口率が、管状光源の狭間隔部分において、管状光源の広間隔部分よりも大きくなるように構成した。
管状光源から生じる光は、光出射側（例えば表示パネル側）へ直接出射されるもののみならず、光出射側とは異なる方向に発せられるものがあり、当該方向に発せられた光は、光反射部材により反射されて光出射側へ到達する仕組みとされており、これらの光を総じて照明輝度とされる。
【００１３】
そこで、光反射部材に開口部を設けることにより、開口部は管状光源から生じる光を反射し難いため、光反射部材の光の反射量を減少させることができ、その結果、照明輝度を低下させることが可能となる。そして、当該開口部の光反射部材全体に対する形成比率である開口率を、管状光源の配列の狭間隔部分において広間隔部分よりも大きくすることで、狭間隔部分の照明輝度をより大きく低下させることができ、広間隔部分の照明輝度との差を小さくすることが可能となる。すなわち、光反射部材の開口率を調整することで、管状光源の配列の狭間隔部分と広間隔部分との照明輝度を調整することが可能となる。その結果、照明装置全体における照明輝度分布をなだらかにすることができ、例えば当該照明装置を用いた表示装置においては、上述したような輝度ムラ等の表示ムラを防止ないし抑制することが可能となる。
【００１４】
なお、本発明に係る管状光源の配列間隔は種々の態様により実現できる。例えば、前記管状光源の前記狭間隔部分は、前記複数の管状光源の並び方向に対し、前記広間隔部分の内側に位置するものとすることができる。
また、前記管状光源の前記狭間隔部分は、当該管状光源の配列中央部に位置する一方、前記広間隔部分は当該管状光源の配列端部に位置するものとすることができる。
これ以外にも種々の態様があるが、以下において、狭間隔部分は当該管状光源の配列中央部に位置する一方、広間隔部分は当該管状光源の配列端部に位置する場合を例に挙げて各種態様を説明する。
【００１５】
本発明の照明装置において、前記開口部は、前記管状光源の軸線方向に複数形成されており、当該方向に隣接する前記開口部同士の間隔が、前記狭間隔部分において、前記広間隔部分よりも小さくされてなるものとすることができる。
また、前記開口部は、前記管状光源の並列方向に複数形成されており、当該方向に隣接する前記開口部同士の間隔が、前記狭間隔部分において、前記広間隔部分よりも小さくされてなるものとすることができる。
【００１６】
上記のそれぞれの場合、開口部を設ける間隔を調整することにより光反射部材の開口率を調整している。すなわち、開口部の間隔を、管状光源の狭間隔部分において広間隔部分よりも小さくすることにより、狭間隔部分にはより多数の開口部を設けることとなり、狭間隔部分における光反射部材の開口率は相対的に大きくなる。その結果、狭間隔部分の光の反射量を減少させて照明輝度を低下させることができるため、管状光源の狭間隔部分と広間隔部分との照明輝度分布をなだらかにすることが可能となる。
なお、管状光源の軸線方向は光反射部材の長手方向に相当するため、管状光源の軸線方向には並列方向に比してより多数の開口部を設けることができ、当該開口部の間隔をより多様に変化させることが可能となる。
【００１７】
前記開口部は、その面積が、前記狭間隔部分において、前記広間隔部分よりも大きくなるように形成されてなるものとすることができる。
この場合、開口部の面積（つまり、大きさ）を調整することにより光反射部材の開口率を調整している。すなわち、開口部を、その面積が、狭間隔部分において広間隔部分よりも大きくなるように形成することにより、狭間隔部分における光反射部材の開口率は相対的に大きくなる。その結果、狭間隔部分の光の反射量を減少させて照明輝度を低下させることができるため、管状光源の狭間隔部分と広間隔部分との照明輝度分布をなだらかにすることが可能となる。
【００１８】
前記管状光源は、相対的に高電圧となる高電圧部分と、相対的に低電圧となる低電圧部分とを有し、前記開口部は、前記光反射部材全体に対する当該開口部の形成比率である開口率が、前記高電圧部分において、前記低電圧部分よりも大きくなるように形成されてなるものとすることができる。
管状光源の輝度は、管状光源の高電圧部分において、低電圧部分よりも高くなる場合がある。そこで、開口部を、光反射部材全体に対する当該開口部の形成比率である開口率が、高電圧部分において低電圧部分よりも大きくなるように形成することにより、高電圧部分の光の反射量をより大きく減少させて照明輝度を低下させることができるため、低電圧部分の照明輝度との差を小さくすることが可能となる。その結果、照明輝度分布をなだらかにすることが可能となる。
【００１９】
前記開口部は、前記管状光源の軸線方向に複数形成されており、当該方向に隣接する前記開口部同士の間隔が、前記高電圧部分において、前記低電圧部分よりも小さくされてなるものとすることができる。
また、前記開口部は、前記管状光源の並列方向に複数形成されており、当該方向に隣接する前記開口部同士の間隔が、前記高電圧部分において、前記低電圧部分よりも小さくされてなるものとすることができる。
【００２０】
上記のそれぞれの場合、開口部を設ける間隔を調整することにより光反射部材の開口率を調整している。すなわち、開口部の間隔を、高電圧部分において低電圧部分よりも小さくすることにより、高電圧部分にはより多数の開口部を設けることとなり、高電圧部分における光反射部材の開口率は相対的に大きくなる。その結果、高電圧部分の光の反射量を減少させて照明輝度を低下させることができるため、高電圧部分と低電圧部分との照明輝度分布をなだらかにすることが可能となる。
なお、管状光源の軸線方向は光反射部材の長手方向に相当するため、管状光源の軸線方向には並列方向に比して相対的に多数の開口部を設けることができ、当該開口部の間隔をより多様に変化させることが可能となる。
【００２１】
前記開口部は、その面積が、前記高電圧部分において、前記低電圧部分よりも大きくなるように形成されてなるものとすることができる。
この場合、開口部の面積（つまり、大きさ）を調整することにより光反射部材の開口率を調整している。すなわち、開口部を、その面積が、管状光源の高電圧部分において低電圧部分よりも大きくなるように形成することにより、高電圧部分における光反射部材の開口率は相対的に大きくなる。その結果、高電圧部分の光の反射量を減少させて照明輝度を低下させることができるため、管状光源の高電圧部分と低電圧部分との照明輝度分布をなだらかにすることが可能となる。
【００２２】
また、前記管状光源と、前記開口部を有する前記光反射部材と、を収容するシャーシを備え、前記シャーシは、金属製の板金からなり、前記光反射部材の光反射率は、前記シャーシの光反射率よりも大きくされてなるものとすることができる。
この場合、管状光源から生じる光は、光反射部材で反射されるとともに、光反射部材に設けた開口部では、その開口部を通じて金属製のシャーシに達し、当該シャーシで反射されることとなる。そこで、光反射部材の光反射率を、シャーシの光反射率よりも大きくしておくことにより、開口部を形成した部分において反射光の量を低下させることができ、ひいては照明輝度を調整することが可能となる。
【００２３】
前記シャーシは、その表面のうち、少なくとも内側面の表面に白色系の色の塗装がなされているものとすることができる。
このように、光を反射し易い白色系の色の塗装をシャーシに施すことにより、シャーシの光反射性を高めることができるため、開口部においても、管状光源から生じる光を相対的に高い効率で反射することができ、当該光を有効に利用することが可能となる。
さらに、開口部とその周辺の通常部分（つまり、開口部が設けられていない部分）との輝度差を過度に大きくしないことにより、例えば表示装置用の照明装置として用いた場合にも、当該輝度差による開口部の視認を防止することが可能となる。
【００２４】
また、前記シャーシは、その表面のうち、少なくとも内側面の表面に灰色系の色又は黒色の塗装がなされているものとすることができる。
このように、光を反射し難い灰色系の色又は黒色の塗装をシャーシに施すことにより、シャーシの光反射率を低減させることができるため、当該シャーシと光反射部材との光反射率の差異をより大きくすることができ、開口部による照明輝度の調整能を一層大きくすることが可能となる。
【００２５】
前記光反射部材と前記シャーシとの間には、透明又は白色系の部材が挿入されているものとすることができる。
この場合、管状光源から生じる光は、開口部では、当該光反射部材とシャーシとの間に挿入された部材で反射されることとなる。この部材を、光を反射し易い透明又は白色系とすることにより、相対的に高い効率で光を反射することができ、当該光を有効に利用することが可能となる。
さらに、開口部とその周辺の通常部分（つまり、開口部が設けられていない部分）との輝度差を過度に大きくしないことにより、例えば表示装置用の照明装置として用いた場合にも、当該輝度差による開口部の視認を防止することが可能となる。
【００２６】
また、前記光反射部材と前記シャーシとの間には、灰色系又は黒色の部材が挿入されているものとすることができる。
この場合も、管状光源から生じる光は、開口部では、光反射部材とシャーシとの間に挿入された部材により反射されることとなる。この部材を、光を反射し難い灰色系又は黒色とすることにより、部材の光反射率を低減させることができるため、当該部材と光反射部材との光反射率の差異をより大きくすることができ、開口部による照明輝度の調整能を一層大きくすることが可能となる。
【００２７】
前記光源と、前記開口部を有する前記光反射部材と、を収容するシャーシを備え、前記シャーシは、樹脂成形品からなり、前記光反射部材の光反射率は、前記シャーシの光反射率よりも大きくされてなるものとすることができる。
このように、シャーシを樹脂成形品からなるものとすることにより、成形性が向上するとともに、色素材料の添加等により、容易に光反射率を調整することが可能となる。
【００２８】
前記管状光源を前記シャーシに支持するための光源支持部を備え、前記光反射部材には、前記光源支持部が挿通するための挿通孔が設けられており、前記開口部と前記挿通孔とは、互いに異なる面積とされてなるものとすることができる。
この場合、光反射部材には開口部とともに、異なる機能を有する開口（挿通孔）が設けられる構成となる。そこで、開口部と挿通孔とを、互いに異なる面積となるように形成することにより、開口部と挿通孔とが区別できるようになるため、照明装置の組立て時に両者を混同するおそれがなく、製造工程の簡便化が期待できる。
【００２９】
また、前記管状光源を前記シャーシに支持するための光源支持部を備え、前記光反射部材には、前記光源支持部が挿通するための挿通孔が設けられており、前記開口部と前記挿通孔とは、互いに異なる形状とされてなるものとすることができる。
この場合も、光反射部材には開口部とともに、異なる機能を有する開口（挿通孔）が設けられる構成となる。そこで、開口部と挿通孔とを、互いに異なる形状とすることにより、開口部と挿通孔とが区別できるようになるため、照明装置の組立て時に両者を混同するおそれがなく、製造工程の簡便化が期待できる。
【００３０】
前記開口部は、複数形成されるとともに、それぞれ千鳥状に配置されているものとすることができる。
また、前記開口部は、複数形成されるとともに、それぞれ並列配置されているものとすることができる。
上記のような各態様の開口部とすることで、開口部の配列が規則的になり、照明輝度の調整精度を向上させることが可能となる。
【００３１】
前記開口部は、前記光反射部材をパンチングして形成されたものとすることができる。
また、前記開口部は、前記光反射部材をプロッターカットして形成されたものとすることができる。
このようにパンチング又はプロッターカットにより開口部を形成することにより、開口部の態様を適宜設計することが可能となり、かつ、容易に設計どおりの開口部を形成することが可能となる。
【００３２】
次に、上記課題を解決するために、本発明の表示装置は、上述した照明装置と、当該照明装置からの光を利用して表示を行う表示パネルと、を備えることを特徴とする。
このような表示装置によると、照明装置において照明輝度分布をなだらかなものとすることが可能となるため、当該表示装置においても表示ムラを防止ないし抑制することが可能となる。
【００３３】
前記表示パネルとしては液晶パネルを例示することができる。このような表示装置は液晶表示装置として、種々の用途、例えばテレビやパソコンのデスクトップ画面等に適用でき、特に大型画面用として好適である。
【００３４】
また、本発明のテレビ受信装置は、上記表示装置を備えることを特徴とする。
このようなテレビ受信装置によると、表示ムラが防止ないし抑制された、視認性に優れたテレビ画像を提供することが可能となる。
【００３５】
（発明の効果）
本発明の照明装置によると、簡便な構成により部分的に照明輝度を調整することで照明輝度分布をなだらかにすることが可能となる。また、本発明の表示装置によると、表示ムラの発生が防止ないし抑制された高品質な表示を提供することが可能となる。さらに、本発明のテレビ受信装置によると、表示ムラの発生が防止ないし抑制された高品質なテレビ画像を提供することが可能となる。
【図面の簡単な説明】
【００３６】
【図１】本発明の実施形態１に係るテレビ受信装置の概略構成を示す分解斜視図。
【図２】図１のテレビ受信装置が備える液晶表示装置の概略構成を示す分解斜視図。
【図３】図２の液晶表示装置のＡ−Ａ線断面図。
【図４】図２の液晶表示装置が備えるバックライト装置の要部構成と作用効果を模式的に示す説明図。
【図５】図４のバックライト装置が備える光反射シートの構成を模式的に示す平面図。
【図６】本発明の実施形態２に係る液晶表示装置が備える光反射シートの一変形例を模式的に示す平面図。
【図７】本発明の実施形態３に係る液晶表示装置が備える光反射シートの一変形例を模式的に示す平面図。
【図８】本発明の実施形態４に係る液晶表示装置が備える光反射シートの一変形例を模式的に示す平面図。
【図９】開口部の一変形例を示す説明図。
【図１０】開口部の一変形例を示す説明図。
【図１１】開口部の一変形例を示す説明図。
【図１２】開口部の一変形例を示す説明図。
【図１３】開口部の一変形例を示す説明図。
【図１４】開口部の一変形例を示す説明図。
【図１５】開口部の一変形例を示す説明図。
【図１６】開口部の一変形例を示す説明図。
【図１７】開口部の一変形例を示す説明図。
【符号の説明】
【００３７】
１０...液晶表示装置（表示装置）、１１...液晶パネル（表示パネル）、１２...バックライト装置（照明装置）、１４...バックライトシャーシ（シャーシ）、１７...冷陰極管（管状光源）、１７Ａ...狭間隔部分、１７Ｂ...広間隔部分、２０...ランプクリップ、２２，２３...挿通孔、３０Ａ...高電圧部分、３０Ｂ...低電圧部分、４０...光反射シート（光反射部材）、５０...開口部、ＴＶ...テレビ受信装置
【発明を実施するための最良の形態】
【００３８】
＜実施形態１＞
本発明の実施形態１を図１ないし図５によって説明する。
図１は本実施形態に係るテレビ受信装置の概略構成を示す分解斜視図、図２は液晶表示装置の概略構成を示す分解斜視図、図３は液晶表示装置の概略構成を示すＡ−Ａ線断面図、図４はバックライト装置の要部構成と作用効果を模式的に示す説明図、図５は光反射シートの構成を模式的に示す平面図である。【００３９】
本実施形態に係るテレビ受信装置ＴＶは、図１に示すように、液晶表示装置１０と、当該液晶表示装置１０を挟むようにして収容する裏表両キャビネットＣＡ，ＣＢと、電源Ｐと、チューナーＴと、スタンドＳとを備えて構成される。液晶表示装置（表示装置）１０は、全体として横長の方形を成し、図２に示すように、表示パネルである液晶パネル１１と、外部光源であるバックライト装置（照明装置）１２とを備え、これらがベゼル１３などにより一体的に保持されるようになっている。【００４０】
次に、液晶表示装置１０を構成する液晶パネル１１及びバックライト装置１２について説明する（図２及び図３参照）。
液晶パネル１１は、一対のガラス基板が所定のギャップを隔てた状態で貼り合わせられるとともに、両ガラス基板間に液晶が封入された構成とされる。一方のガラス基板には、互いに直交するソース配線とゲート配線とに接続されたスイッチング素子（例えばＴＦＴ）と、そのスイッチング素子に接続された画素電極等が設けられ、他方のガラス基板には、対向電極と、Ｒ，Ｇ，Ｂ等の各着色部が所定配列で配置されたカラーフィルタ等が設けられている。【００４１】
バックライト装置１２は、所謂直下型のバックライト装置であって、液晶パネル１１のパネル面（すなわち表示面）の背面直下に、当該パネル面に沿って線状光源（ここでは高圧放電管として冷陰極管（管状光源）１７を用いている）を複数具備した構成となっている。【００４２】
さらに、バックライト装置１２は、上面側が開口した略箱型をなすバックライトシャーシ（シャーシ）１４と、バックライトシャーシ１４の開口部を覆うようにして取り付けられる複数の光学部材１５（図示下側から順に拡散板、拡散シート、レンズシート、光学シート）と、これら光学部材１５をバックライトシャーシ１４に保持するためのフレーム１６とを備える。さらに、バックライトシャーシ１４内には、冷陰極管１７と、冷陰極管１７群の両端部を一括して覆うランプホルダ１９と、冷陰極管１７をバックライトシャーシ１４に取り付けるためのランプクリップ（光源支持部材）２０とを備える。なお、当該バックライト装置１２においては、冷陰極管１７よりも光学部材１５側が光出射側となっている。【００４３】
また、バックライトシャーシ１４の冷陰極管１７が配設された側とは反対側（つまり光出射面側とは反対側）には、冷陰極管１７に駆動電圧を供給するためのインバータ基板２１が取り付けられている。インバータ基板２１は、冷陰極管１７を点灯するための高周波電圧を発生するインバータ回路を含んで構成されている。【００４４】
冷陰極管１７は、細長い管状をなしており、その長さ方向（すなわち軸線方向）をバックライトシャーシ１４の長辺方向に一致させた状態で、バックライトシャーシ１４内に多数本（図２では１６本）収容されている。また、各冷陰極管１７は、図３に示すように複数の冷陰極管１７の配列間隔が相対的に狭い狭間隔部分１７Ａと、相対的に広い広間隔部分１７Ｂとを有して配列されており、特に、狭間隔部分１７Ａが冷陰極管１７の配列中央部、つまりバックライト装置１２の中央側に形成され、広間隔部分１７Ｂが冷陰極管１７の配列端部、つまりバックライト装置１２の端側に形成されている。【００４５】
また、バックライトシャーシ１４は、金属製の板金からなり、当該バックライトシャーシ１４の内面側には黒色の塗装がなされるとともに、冷陰極管１７の光出射側とは反対側に光反射シート（光反射部材）４０が配設され、これにより光反射面が形成されている。このような光反射シート４０を含むバックライトシャーシ１４により、冷陰極管１７から出射された光を拡散板等の光学部材１５側に反射させることが可能となっている。【００４６】
光反射シート４０は、例えば光反射性を備えた樹脂シートからなり、その光反射率はバックライトシャーシ１４の光反射率よりも大きいものとされている。また、光反射シート４０は、冷陰極管１７の並列方向に平行に配置されており、図５に示すように、光反射シート４０の短辺方向の中央部が冷陰極管１７の配列の狭間隔部分１７Ａに対向し、光反射シート４０の短辺方向の端部が広間隔部分１７Ｂに対向する態様となっている。【００４７】
さらに、光反射シート４０は、ランプクリップ２０を挿通するための挿通孔２２と、光反射シート４０の光反射率を調整するための開口部５０を有しており（図２では開口部５０の図示省略）、挿通孔２２と開口部５０とは、互いに異なる面積の円形をなしている。このため、冷陰極管１７から出射された光は、図４に示すように、光反射シート４０で反射されるとともに、光反射シート４０に設けた開口部５０では、その開口部５０を通じて金属製のバックライトシャーシ１４に達し、当該バックライトシャーシ１４で反射されることとなる。【００４８】
開口部５０は、光反射シート４０をパンチングすることで、本実施形態ではそれぞれが等しい大きさに形成されている。また、図５に示すように、光反射シート４０の長辺方向（すなわち冷陰極管１７の軸線方向）に沿って複数の開口部５０が列を形成し、光反射シート４０の短辺方向（すなわち冷陰極管１７の並列方向）には、冷陰極管１７の軸線方向に配列された開口部５０の列が、複数（図５では１５列）並列されている。【００４９】
ここで、１つの列において着目すると、冷陰極管１７の軸線方向に隣接する開口部５０同士の間隔は等しくされている。
一方、相互の列同士について着目すると、上述した冷陰極管１７の軸線方向に隣接する開口部５０同士の間隔に関しては、光反射シート４０の狭間隔部分１７Ａに対向する部分（光反射シート４０の短辺方向の中央部）に位置する列では、当該間隔が相対的に小さく、開口部５０が密に配置されている。そして、この冷陰極管１７の軸線方向に隣接する開口部５０同士の間隔は、光反射シート４０の広間隔部分１７Ｂ（光反射シート４０の短辺方向の端部）に位置する列では相対的に大きく、開口部５０は疎に配置されている。なお、当該間隔は、狭間隔部分１７Ａに位置する列から広間隔部分１７Ｂに位置する列へ、徐々に大きくなるものとされている。これにより、開口部５０の光反射シート４０全体に対する形成比率である開口率は、狭間隔部分１７Ａにおいて広間隔部分１７Ｂよりも大きいものとなっている。【００５０】
次に、冷陰極管１７の並列方向に隣接する開口部５０同士の間隔に関しては、光反射シート４０の狭間隔部分１７Ａに対向する部分（光反射シート４０の短辺方向の中央部）では、当該間隔が相対的に小さく、開口部５０は密に配置されている。そして、この冷陰極管１７の並列方向に隣接する開口部５０同士の間隔は、光反射シート４０の広間隔部分１７Ｂ（光反射シート４０の短辺方向の端部）では相対的に大きく、開口部５０は疎に配置されている。なお、当該間隔は、狭間隔部分１７Ａから広間隔部分１７Ｂへ徐々に大きくなるものとされている。これにより、開口部５０の光反射シート４０全体に対する形成比率である開口率は、狭間隔部分１７Ａにおいて広間隔部分１７Ｂよりも大きいものとなっている。【００５１】
以上の構成による本実施形態に係るテレビ受信装置ＴＶによると、以下のような作用効果が奏される。
本実施形態のテレビ受信装置ＴＶが備える液晶表示装置１０において、冷陰極管１７は、その配列間隔が相対的に狭い狭間隔部分１７Ａと、相対的に広い広間隔部分１７Ｂとを有するように配列されており、かつ、狭間隔部分１７Ａがバックライト装置１２の中央側に配置され、広間隔部分１７Ｂがバックライト装置１２の端側に配置されている。狭間隔部分１７Ａにおいては照明輝度を広間隔部分１７Ｂよりも相対的に高められるため、液晶表示装置１０の画面中央側の視認性が向上するとともに、広間隔部分１７Ｂを設けたことに起因して冷陰極管１７の設置数減少によるコスト削減が期待できる。【００５２】
その一方で、相対的に照明輝度の高い狭間隔部分１７Ａと相対的に照明輝度の低い広間隔部分１７Ｂとの配置のバランスを調整することは非常に困難な作業であり、狭間隔部分１７Ａと広間隔部分１７Ｂとの照明輝度差が過大になると、全体として照明輝度分布が不均一となってしまい、液晶表示装置１０において輝度ムラが生じてしまうこととなる。【００５３】
そこで、本実施形態ではさらに、光反射シート４０に照明輝度の調整手段として開口部５０が形成され、光反射シート４０全体に対する当該開口部５０の形成比率である開口率を、狭間隔部分１７Ａにおいて広間隔部分１７Ｂより大きくなる構成とした。
このように、光反射シート４０に開口部５０を設けることにより、開口部５０は冷陰極管１７から生じる光を反射しないため、光反射シート４０の光の反射量を減少させることができ、その結果、照明輝度を低下させることが可能となる。そして、光反射シート４０全体に対する開口部５０の形成比率である開口率を、狭間隔部分１７Ａにおいて広間隔部分１７Ｂより大きくすることで、狭間隔部分１７Ａの照明輝度をより大きく低下させることができ、狭間隔部分１７Ａと広間隔部分１７Ｂとの照明輝度の差を小さくすることが可能となる。すなわち、光反射シート４０の開口率を部分的に調整することで、狭間隔部分１７Ａと広間隔部分１７Ｂとの照明輝度を調整することが可能となる。その結果、バックライト装置１２の照明輝度分布をなだらかにすることができ、液晶表示装置１０において輝度ムラ等の表示ムラを防止ないし抑制することが可能となる。【００５４】
また、本実施形態においては、開口部５０は、冷陰極管１７の軸線方向に隣接する開口部５０同士の間隔が、狭間隔部分１７Ａにおいて広間隔部分１７Ｂより小さくなるように形成されている。
さらに、開口部５０は、冷陰極管１７の並列方向に隣接する開口部５０同士の間隔が、狭間隔部分１７Ａにおいて広間隔部分１７Ｂより小さくなるように形成されている。
このような構成とすることにより、狭間隔部分１７Ａには広間隔部分１７Ｂに比してより多数の開口部５０を設けることとなり、狭間隔部分１７Ａにおける光反射シート４０の開口率は相対的に大きくなる。その結果、狭間隔部分１７Ａの光の反射量をより大きく減少させて照明輝度を低下させることができるため、狭間隔部分１７Ａと広間隔部分１７Ｂとの照明輝度分布をなだらかにすることが可能となる。【００５５】
また、本実施形態においては、金属製の板金からなるバックライトシャーシ１４が具備され、光反射シート４０の光反射率は、バックライトシャーシ１４の光反射率より大きいものとされている。
図４に示すように、冷陰極管１７から出射された光は、光反射シート４０で反射されるとともに、光反射シート４０に設けた開口部５０では、その開口部５０を通じて金属製のバックライトシャーシ１４に達し、当該バックライトシャーシ１４で反射されることとなる。そこで、光反射シート４０の光反射率を、バックライトシャーシ１４の光反射率より大きいものとすることにより、冷陰極管１７から生じた光のうち、光反射シート４０から反射される光ＲＡの量は、開口部５０を通じてバックライトシャーシ１４から反射される光ＲＢの量より大きいものとなる。その結果、光反射シート４０のうち開口部５０を形成した部分において、反射光の量を低下させることができ、ひいては照明輝度を調整することが可能となる。【００５６】
また、本実施形態においては、バックライトシャーシ１４の内側面を黒色に塗装するものとしている。
この場合、光反射シート４０の光反射率をバックライトシャーシ１４の光反射率よりも確実に大きくするために、バックライトシャーシ１４の光反射率の調整手段として、当該バックライトシャーシ１４を黒色に塗装するものとした。これにより、バックライトシャーシ１４の光反射率を低減させることができるため、当該バックライトシャーシ１４と光反射シート４０との光反射率の差異をより大きくすることができ、開口部５０による照明輝度の調整能を一層大きくすることが可能となる。【００５７】
また、本実施形態においては、光反射シート４０にはランプクリップ２０を挿通するための挿通孔２２と、光反射率を調整するための開口部５０とが設けられ、挿通孔２２と開口部５０とは、互いに異なる面積の円形をなしている。
このように、挿通孔２２と開口部５０とを互いに異なる面積（大きさ）とすることにより、挿通孔２２と開口部５０とが区別できるようになるため、バックライト装置１２の組立て時に両者を混同するおそれがなく、製造工程の簡便化が期待できる。【００５８】
また、本実施形態においては、開口部５０は、光反射シート４０をパンチングにより形成されるものとしているため、簡便な方法で設計どおりの開口として開口部５０を得ることが可能である。【００５９】
＜実施形態２＞
次に、本発明の実施形態２を図６によって説明する。
前記実施形態１においては、狭間隔部分１７Ａと広間隔部分１７Ｂとの照明輝度の差にのみ着目して開口部５０を配置したが、本実施形態ではさらに冷陰極管１７の電圧差による照明輝度の差にも着目して開口部５１を配置したところに相違を有する。その他は前記実施形態１と同様である。前記実施形態と同一部分には、同一符号を付して重複する説明を省略する。なお、図６は本実施形態に係る光反射シートの構成を模式的に示す平面図である。【００６０】
冷陰極管１７は、当該冷陰極管１７に駆動電圧を供給するインバータ基板２１がバックライトシャーシ１４の長辺方向において片側のみに取り付けられているため、当該インバータ基板２１から冷陰極管１７の一端部に駆動電圧が供給されるものとされている。このため、冷陰極管１７は、当該冷陰極管１７のうち駆動電圧が供給される一端部側が高電圧となる（高電圧部分３０Ａ）一方、他端部側が低電圧となる（低電圧部分３０Ｂ）。【００６１】
光反射シート４１は、冷陰極管１７の並列方向に平行に配置されており、図６に示すように、光反射シート４１の長辺方向の一端部（図６において上部）が冷陰極管１７の高電圧部分３０Ａに対向し、光反射シート４１の長辺方向の他端部（図６において下部）が低電圧部分３０Ｂに対向する態様となっている。当該光反射シート４１には、等しい面積の開口部５１が複数形成されている。【００６２】
ここで、１つの列において着目すると、冷陰極管１７の軸線方向に隣接する開口部５１同士の間隔は位置毎に異なる構成とされている。具体的には、高電圧部分３０Ａに位置する開口部５１同士の間隔は相対的に小さく、低電圧部分３０Ｂに位置する開口部５１同士の間隔は相対的に大きい構成となっている。【００６３】
なお、冷陰極管１７の配列間隔に沿った開口部５１の配置、つまり狭間隔部分１７Ａと広間隔部分１７Ｂとにおける開口部５１同士の間隔については、上記実施形態１と同様の構成である。【００６４】
以上説明したように、本実施形態によれば、開口部５１は、光反射シート４１の全体に対する開口部５１の形成比率である開口率が、冷陰極管１７の高電圧部分３０Ａにおいて低電圧部分３０Ｂより大きくなるように形成されている。
バックライト装置１４の照明輝度分布の不均一は、狭間隔部分１７Ａと広間隔部分１７Ｂとの配置のバランスのみならず、冷陰極管１７の電圧差によっても生じ得る。すなわち、冷陰極管１７の管状光源の輝度は、当該冷陰極管１７の高電圧部分３０Ａにおいて、低電圧部分３０Ｂよりも高くなる場合がある。
そこで、上記のように開口部５１の形成比率である開口率を、冷陰極管１７の高電圧部分３０Ａにおいて低電圧部分３０Ｂより大きくすることにより、低電圧部分３０Ｂに比して相対的に照明輝度の高い高電圧部分３０Ａにおいて、その光の反射量をより大きく減少させて照明輝度を低下させることができる。その結果、高電圧部分３０Ａと低電圧部分３０Ｂとの照明輝度の差を小さくすることができ、全体として照明輝度分布をなだらかにすることが可能となる。【００６５】
また、本実施形態においては、開口部５１は、冷陰極管１７の軸線方向に隣接する開口部５１同士の間隔が、高電圧部分３０Ａにおいて低電圧部分３０Ｂより小さくなるように形成されている。
これにより、高電圧部分３０Ａには低電圧部分３０Ｂより多数の開口部５１を設けることとなり、高電圧部分３０Ａにおける光反射シート４１の開口率は相対的に大きくなる。その結果、高電圧部分３０Ａの光の反射量をより大きく減少させて照明輝度を低下させることができるため、高電圧部分３０Ａと低電圧部分３０Ｂとの照明輝度分布をなだらかにすることが可能となる。【００６６】
また、本実施形態においては、開口部５１は、冷陰極管１７の並列方向に隣接する開口部５１同士の間隔が、狭間隔部分１７Ａにおいて広間隔部分１７Ｂより小さくなるように形成されている。
これにより、狭間隔部分１７Ａには広間隔部分１７Ｂより多数の開口部５１を設けることとなり、狭間隔部分１７Ａにおける光反射シート４１の開口率は相対的に大きくなる。その結果、狭間隔部分１７Ａの光の反射量をより大きく減少させて照明輝度を低下させることができるため、狭間隔部分１７Ａと広間隔部分１７Ｂとの照明輝度分布をなだらかにすることが可能となる。【００６７】
本実施形態によれば、上述のような開口部５１を有する光反射シート４２をバックライト装置１２に備えることにより、バックライト装置１２の照明輝度分布をなだらかにすることができ、液晶表示装置１０において輝度ムラ等の表示ムラを防止ないし抑制することが可能となる。【００６８】
＜実施形態３＞
次に、本発明の実施形態３を図７によって説明する。前記実施形態１，２との相違は、開口部の配列態様及び挿通孔の形状にあり、その他は前記実施形態と同様である。前記実施形態と同一部分には、同一符号を付して重複する説明を省略する。なお、図７は本実施形態に係る光反射シートの構成を模式的に示す平面図である。【００６９】
光反射シート４２には、図７に示すように、挿通孔２３と開口部５２とが形成されている。挿通孔２３は正方形とされる一方、開口部５２は５種類の異なる直径を有する円形とされている。【００７０】
開口部５２は、光反射シート４２の長辺方向（すなわち冷陰極管１７の軸線方向）において１列に並んで配置され、その面積がそれぞれ等しいものとして形成されている。【００７１】
一方、光反射シート４２の短辺方向（すなわち冷陰極管１７の並列方向）には、冷陰極管１７の軸線方向に配列された開口部５２の列が、複数（図７では９列）並列されている。開口部５２は、その面積（大きさ）が、光反射シート４２の狭間隔部分１７Ａに対向する部分（光反射シート４２の短辺方向の中央部）に位置する列では相対的に大きく形成されている。そして、当該面積は、広間隔部分１７Ｂ（光反射シート４２の短辺方向の端部）に位置する列では相対的に小さいものとされている。なお、当該面積は、狭間隔部分１７Ａに位置する列から広間隔部分１７Ｂに位置する列へ、徐々に小さくなるものとされている。これにより、開口部５２の光反射シート４２全体に対する形成比率である開口率は、狭間隔部分１７Ａにおいて広間隔部分１７Ｂよりも大きいものとなっている。【００７２】
さらに、冷陰極管１７の並列方向に隣接する開口部５２同士の間隔に関しては、光反射シート４２の高電圧部分３０Ａに対向する部分（図７において光反射シート４２の上部）では、隣接する開口部５２同士の当該間隔が相対的に小さく、開口部５２は密に配置されている。この冷陰極管１７の並列方向に隣接する開口部５２同士の間隔は、光反射シート４２の低電圧部分３０Ｂに対向する部分（図７において光反射シート４２の下部）では相対的に大きく、開口部５２は疎に配置されている。なお、当該間隔は、高電圧部分３０Ａから低電圧部分３０Ｂへ徐々に大きくなるものとされている。これにより、開口部５２の光反射シート４２全体に対する形成比率である開口率は、高電圧部分３０Ａにおいて低電圧部分３０Ｂよりも大きいものとなっている。【００７３】
以上説明したように、本実施形態によれば、開口部５２は、その面積が、冷陰極管１７の狭間隔部分１７Ａにおいて広間隔部分１７Ｂよりも大きくなるように形成されている。
このように、開口部５２の面積（大きさ）を狭間隔部分１７Ａにおいて広間隔部分１７Ｂよりも大きくしているため、狭間隔部分１７Ａにおける光反射シート４２の開口率が相対的に大きくなる。その結果、狭間隔部分１７Ａの光の反射量をより大きく減少させて照明輝度を低下させることができるため、狭間隔部分１７Ａと広間隔部分１７Ｂとの照明輝度分布をなだらかにすることが可能となる。【００７４】
また、本実施形態において、開口部５２は、冷陰極管１７の並列方向に隣接する開口部５２同士の間隔が、冷陰極管１７の高電圧部分３０Ａにおいて低電圧部分３０Ｂよりも小さくなるように形成されている。
これにより、高電圧部分３０Ａには低電圧部分３０Ｂより多数の開口部５２を設けることとなり、高電圧部分３０Ａにおける光反射部材の開口率は相対的に大きくなる。その結果、高電圧部分３０Ａの光の反射量をより大きく減少させて照明輝度を低下させることができるため、高電圧部分３０Ａと低電圧部分３０Ｂとの照明輝度分布をなだらかにすることが可能となる。【００７５】
また、本実施形態において、光反射シート４２にはランプクリップ２０を挿通するための挿通孔２３と、光反射率を調整するための開口部５２とが設けられ、挿通孔２３は正方形とされる一方、開口部５２は、円形をなしている。
このように、挿通孔２３と開口部５２とを互いに異なる形状とすることにより、挿通孔２３と開口部５２とが容易に区別できるようになるため、バックライト装置１２の組立て時に両者を混同するおそれがなく、製造工程の簡便化が期待できる。【００７６】
本実施形態によれば、上述のような開口部５２を有する光反射シート４２をバックライト装置１２に備えることにより、バックライト装置１２の照明輝度分布をなだらかにすることができ、液晶表示装置１０において輝度ムラ等の表示ムラを防止ないし抑制することが可能となる。【００７７】
＜実施形態４＞
次に、本発明の実施形態４を図８によって説明する。前記実施形態１，２，３との相違は、開口部の配列態様にあり、その他は前記実施形態と同様である。前記実施形態と同一部分には、同一符号を付して重複する説明を省略する。なお、図８は本実施形態に係る光反射シートの構成を模式的に示す平面図である。【００７８】
光反射シート４３には、図８に示すように、挿通孔２３と開口部５３とが形成されている。挿通孔２３は正方形とされる一方、開口部５３は７種類の異なる直径を有する円形とされている。【００７９】
開口部５３は、光反射シート４３の長辺方向（すなわち冷陰極管１７の軸線方向）において１列に並んで配置され、さらに、開口部５３の面積（大きさ）が、光反射シート４３の高電圧部分３０Ａに対向する部分（図８において光反射シート４３の上部）では相対的に大きく形成されている。そして、当該面積は、低電圧部分３０Ｂに対向する部分（図８において光反射シート４３の下部）では相対的に小さいものとされている。なお、当該面積は、高電圧部分３０Ａから低電圧部分３０Ｂへ徐々に小さくなるものとされている。これにより、開口部５３の光反射シート４３全体に対する形成比率である開口率は、高電圧部分３０Ａにおいて低電圧部分３０Ｂよりも大きいものとなっている。【００８０】
一方、光反射シート４３の短辺方向（すなわち冷陰極管１７の並列方向）には、冷陰極管１７の軸線方向に配列された開口部５３の列が、複数（図８では７列）並列されている。さらに、開口部５３は、光反射シート４３の短辺方向にも１列に並んで配置されており、それぞれの開口部５３が互いに並列配置される態様となっている。
また、冷陰極管１７の並列方向に隣接する開口部５３同士の間隔に関しては、光反射シート４３の狭間隔部分１７Ａに対向する部分（光反射シート４３の短辺方向の中央部）では、当該間隔が相対的に小さく、開口部５３は密に配置されている。この冷陰極管１７の並列方向に隣接する開口部５３同士の間隔は、光反射シート４３の広間隔部分１７Ｂ（光反射シート４３の短辺方向の端部）では相対的に大きく、開口部５３は疎に配置されている。なお、当該間隔は、狭間隔部分１７Ａから広間隔部分１７Ｂへ徐々に大きくなるものとされている。これにより、開口部５３の光反射シート４３全体に対する形成比率である開口率は、狭間隔部分１７Ａにおいて広間隔部分１７Ｂよりも大きいものとなっている。【００８１】
以上説明したように、本実施形態によれば、開口部５３は、その面積（大きさ）が、冷陰極管１７の高電圧部分３０Ａにおいて低電圧部分３０Ｂよりも大きくなるように形成されているため、高電圧部分３０Ａにおける光反射シート４３の開口率が相対的に大きくなる。その結果、高電圧部分３０Ａの光の反射量をより大きく減少させて照明輝度を低下させることができるため、高電圧部分３０Ａと低電圧部分３０Ｂとの照明輝度分布をなだらかにすることが可能となる。【００８２】
また、本実施形態において、開口部５３は、冷陰極管１７の並列方向に隣接する開口部５３同士の間隔が、狭間隔部分１７Ａにおいて広間隔部分１７Ｂより小さくされている。
これにより、狭間隔部分１７Ａには広間隔部分１７Ｂに比してより多数の開口部５３を設けることとなり、狭間隔部分１７Ａにおける光反射シート４３の開口率は相対的に大きくなる。その結果、狭間隔部分１７Ａの光の反射量をより大きく減少させて照明輝度を低下させることができるため、狭間隔部分１７Ａと広間隔部分１７Ｂとの照明輝度分布をなだらかにすることが可能となる。【００８３】
また、本実施形態においては、開口部５３をそれぞれ並列配置することにより、開口部５３の配列が規則的になり、照明輝度の調整精度を向上させることが可能となる。【００８４】
本実施形態によれば、上述のような開口部５３を有する光反射シート４３をバックライト装置１２に備えることにより、バックライト装置１２の照明輝度分布をなだらかにすることができ、液晶表示装置１０において輝度ムラ等の表示ムラを防止ないし抑制することが可能となる。【００８５】
＜他の実施形態＞
以上、本発明の実施形態について示したが、本発明は上記記述及び図面によって説明した実施形態に限定されるものではなく、例えば次のような実施形態も本発明の技術的範囲に含まれる。【００８６】
（１）上記した各実施形態では、狭間隔部分が冷陰極管の配列中央部に形成され、広間隔部分が冷陰極管の配列端部に形成されるものとしたが、狭間隔部分及び広間隔部分の形成位置は任意である。
ただし、本発明の照明装置を例えば表示装置に使用する場合には、表示装置の画面中央部において相対的に高い輝度が要求されるため、狭間隔部分は冷陰極管の並び方向に対し、広間隔部分の内側に位置するものとすることが好適である。【００８７】
（２）上記した各実施形態では、開口部はその形状を円形とし、並列配置するもの（丸穴並列型）としたが、開口部の形状及び配置はこれに限らない。例えば図９に示すように光反射シート６０において丸形状の開口部７０が６０度の角度をなして千鳥状に配置される丸穴６０度千鳥型、図１０に示すように丸形状の開口部７１が９０度の角度をなして千鳥状に配置される丸穴角千鳥型、図１１に示すように長丸形状の開口部７２が千鳥状に配置される長丸穴千鳥型、図１２に示すように長丸形状の開口部７３が並列に配置される長丸穴並列型、図１３に示すように正方形状の開口部７４が千鳥状に配置される角穴千鳥型、図１４に示すように正方形状の開口部７５が並列に配置される角穴並列型、図１５に示すように六角形状の開口部７６が６０度の角度をなして千鳥状に配置される六角形穴６０度千鳥型、図１６に示すように長方形状の開口部７７が千鳥状に配置される長角穴千鳥型、図１７に示すように長方形状の開口部７８が並列に配置される長角穴並列型等としても良い。【００８８】
（３）上記した各実施形態では、開口部はその形状をそれぞれ同一のものとしたが、光反射シート内において異なる形状を有する開口部を設けても良い。【００８９】
（４）上記した各実施形態では、開口部はパンチングにより形成されるものとしたが、開口部を設計どおりの態様に形成できるものであれば、例えばプロッターカット等の形成手段を用いても良い。【００９０】
（５）上記した各実施形態では、開口部は冷陰極管の軸線方向に１列に並んで配置するものとしたが、例えば不規則に配置するものとしても良い。特に、狭間隔部分において隣接する開口部同士の間隔を小さくする手段としては、不規則な配置が好適である。【００９１】
（６）上記した各実施形態では、バックライトシャーシを黒色に塗装するものとしたが、光を反射し難い色であれば良く、灰色系の色の塗装がなされるものとしても良い。さらには、灰色系又は黒色の部材をバックライトシャーシと光反射シートとの間に挿入する構成としても良い。【００９２】
（７）上記した各実施形態では、バックライトシャーシを黒色に塗装するものとしたが、これにより開口部とその周辺の通常部分（つまり、開口部が設けられていない部分）との輝度差が過度に大きくなり、本発明の照明装置を例えば表示装置に使用する場合には、当該開口部が視認される場合がある。このような場合には、光反射シートの光反射率を超えない範囲において、バックライトシャーシを白色系の色に塗装しても良く、或いは、透明又は白色系の部材をバックライトシャーシと光反射シートとの間に挿入する構成としても良い。【００９３】
（８）上記した各実施形態では、バックライトシャーシを金属製の板金よりなるものとしたが、樹脂成形よりなるものとしても良い。【００９４】
（９）上記した各実施形態では、光源として冷陰極管を使用した場合を示したが、例えば熱陰極管など他の種類の光源を用いたものも本発明に含まれる。【００９５】
（１０）上記した各実施形態では、液晶表示装置のスイッチング素子としてＴＦＴを用いたが、ＴＦＴ以外のスイッチング素子（例えば薄膜ダイオード（ＴＦＤ））を用いた液晶表示装置にも適用可能であり、カラー表示する液晶表示装置以外にも、白黒表示する液晶表示装置にも適用可能である。【００９６】
（１１）上記した各実施形態では、照明装置として液晶表示装置のバックライト装置について示したが、他の種類の照明装置、例えば屋内照明用照明装置、広告等の静止画を背面から照射する照明装置等にも本発明は適用可能である。
さらに、上記した各実施形態では、表示装置として液晶表示装置を示したが、液晶以外でバックライト装置を用いる他の表示装置にも本発明は適用可能である。【００９７】
（１２）上記した各実施形態では、液晶パネルを備えたテレビ受信装置を示したが、液晶パネル以外の表示パネルを用いる他のテレビ受信装置にも本発明は適用可能である。
【図１】
2009004840.tif 000003
【図２】
2009004840.tif 000004
【図３】
2009004840.tif 000005
【図４】
2009004840.tif 000006
【図５】
2009004840.tif 000007
【図６】
2009004840.tif 000008
【図７】
2009004840.tif 000009
【図８】
2009004840.tif 000010
【図９】
2009004840.tif 000011
【図１０】
2009004840.tif 000012
【図１１】
2009004840.tif 000013
【図１２】
2009004840.tif 000014
【図１３】
2009004840.tif 000015
【図１４】
2009004840.tif 000016
【図１５】
2009004840.tif 000017
【図１６】
2009004840.tif 000018
【図１７】
2009004840.tif 000019
【手続補正書】
【提出日】平成21年11月20日(2009.11.20)
【手続補正１】
【補正対象書類名】特許請求の範囲
【補正対象項目名】全文
【補正方法】変更
【補正の内容】
【特許請求の範囲】
【請求項１】
並列配置された複数の線状光源と、前記線状光源の光出射側とは反対側に配設された光反射部材と、を備え、
前記線状光源の配列は、その配列間隔が相対的に狭い狭間隔部分と、相対的に広い広間隔部分とを有して構成され、
前記光反射部材には、開口部が形成されており、
前記開口部は、前記光反射部材全体に対する当該開口部の形成比率である開口率が、前記狭間隔部分において、前記広間隔部分よりも大きくなるように形成されてなることを特徴とする照明装置。
【請求項２】
前記狭間隔部分は、前記複数の線状光源の並び方向に対し、前記広間隔部分の内側に位置することを特徴とする請求項１に記載の照明装置。
【請求項３】
前記狭間隔部分は、当該線状光源の配列中央部に位置する一方、前記広間隔部分は当該線状光源の配列端部に位置することを特徴とする請求項１又は請求項２に記載の照明装置。
【請求項４】
前記開口部は、前記線状光源の軸線方向に複数形成されており、当該方向に隣接する前記開口部同士の間隔が、前記狭間隔部分において、前記広間隔部分よりも小さくされてなることを特徴とする請求項１ないし請求項３のいずれか１項に記載の照明装置。
【請求項５】
前記開口部は、前記線状光源の並列方向に複数形成されており、当該方向に隣接する前記開口部同士の間隔が、前記狭間隔部分において、前記広間隔部分よりも小さくされてなることを特徴とする請求項１ないし請求項４のいずれか１項に記載の照明装置。
【請求項６】
前記開口部は、その面積が、前記狭間隔部分において、前記広間隔部分よりも大きくなるように形成されてなることを特徴とする請求項１ないし請求項５のいずれか１項に記載の照明装置。
【請求項７】
前記線状光源は、相対的に高電圧となる高電圧部分と、相対的に低電圧となる低電圧部分とを有し、
前記開口部は、前記光反射部材全体に対する当該開口部の形成比率である開口率が、前記高電圧部分において、前記低電圧部分よりも大きくなるように形成されてなることを特徴とする請求項１ないし請求項６のいずれか１項に記載の照明装置。
【請求項８】
前記開口部は、前記線状光源の軸線方向に複数形成されており、当該方向に隣接する前記開口部同士の間隔が、前記高電圧部分において、前記低電圧部分よりも小さくされてなることを特徴とする請求項７に記載の照明装置。
【請求項９】
前記開口部は、前記線状光源の並列方向に複数形成されており、当該方向に隣接する前記開口部同士の間隔が、前記高電圧部分において、前記低電圧部分よりも小さくされてなることを特徴とする請求項７又は請求項８に記載の照明装置。
【請求項１０】
前記開口部は、その面積が、前記高電圧部分において、前記低電圧部分よりも大きくなるように形成されてなることを特徴とする請求項７ないし請求項９のいずれか１項に記載の照明装置。
【請求項１１】
前記線状光源と、前記開口部を有する前記光反射部材と、を収容するシャーシを備え、
前記シャーシは、金属製の板金からなり、
前記光反射部材の光反射率は、前記シャーシの光反射率よりも大きくされてなることを特徴とする請求項１ないし請求項１０のいずれか１項に記載の照明装置。
【請求項１２】
前記シャーシは、その表面のうち、少なくとも内側面の表面に白色系の色の塗装がなされていることを特徴とする請求項１１に記載の照明装置。
【請求項１３】
前記シャーシは、その表面のうち、少なくとも内側面の表面に灰色系の色又は黒色の塗装がなされていることを特徴とする請求項１１に記載の照明装置。
【請求項１４】
前記光反射部材と前記シャーシとの間には、透明又は白色系の部材が挿入されていることを特徴とする請求項１１ないし請求項１３のいずれか１項に記載の照明装置。
【請求項１５】
前記光反射部材と前記シャーシとの間には、灰色系又は黒色の部材が挿入されていることを特徴とする請求項１１ないし請求項１３のいずれか１項に記載の照明装置。
【請求項１６】
前記光源と、前記開口部を有する前記光反射部材と、を収容するシャーシを備え、
前記シャーシは、樹脂成形品からなり、
前記光反射部材の光反射率は、前記シャーシの光反射率よりも大きくされてなることを特徴とする請求項１ないし請求項１０のいずれか１項に記載の照明装置。
【請求項１７】
前記線状光源を前記シャーシに支持するための光源支持部を備え、
前記光反射部材には、前記光源支持部が挿通するための挿通孔が設けられており、
前記開口部と前記挿通孔とは、互いに異なる面積とされてなることを特徴とする請求項１１ないし請求項１６のいずれか１項に記載の照明装置。
【請求項１８】
前記線状光源を前記シャーシに支持するための光源支持部を備え、
前記光反射部材には、前記光源支持部が挿通するための挿通孔が設けられており、
前記開口部と前記挿通孔とは、互いに異なる形状とされてなることを特徴とする請求項１１ないし請求項１６のいずれか１項に記載の照明装置。
【請求項１９】
前記開口部は、複数形成されるとともに、それぞれ千鳥状に配置されていることを特徴とする請求項１ないし請求項１８のいずれか１項に記載の照明装置。
【請求項２０】
前記開口部は、複数形成されるとともに、それぞれ並列配置されていることを特徴とする請求項１ないし請求項１８のいずれか１項に記載の照明装置。
【請求項２１】
前記開口部は、前記光反射部材をパンチングして形成されたことを特徴とする請求項１ないし請求項２０のいずれか１項に記載の照明装置。
【請求項２２】
前記開口部は、前記光反射部材をプロッターカットして形成されたことを特徴とする請求項１ないし請求項２０のいずれか１項に記載の照明装置。
【請求項２３】
請求項１ないし請求項２２のいずれか１項に記載の照明装置と、当該照明装置の照明光の出射側に配される表示パネルとからなる表示装置。
【請求項２４】
前記表示パネルは、一対の基板間に液晶を封入してなる液晶パネルとされる請求項２３に記載の表示装置。
【請求項２５】
請求項２３又は請求項２４に記載された表示装置を備えるテレビ受信装置。
【手続補正２】
【補正対象書類名】明細書
【補正対象項目名】０００９
【補正方法】変更
【補正の内容】
【０００９】
（課題を解決するための手段）
上記課題を解決するために、本発明の照明装置は、並列配置された複数の線状光源と、前記線状光源の光出射側とは反対側に配設された光反射部材と、を備え、前記線状光源の配列は、その配列間隔が相対的に狭い狭間隔部分と、相対的に広い広間隔部分とを有して構成され、前記光反射部材には、開口部が形成されており、前記開口部は、前記光反射部材全体に対する当該開口部の形成比率である開口率が、前記狭間隔部分において、前記広間隔部分よりも大きくなるように形成されてなることを特徴とする。
【手続補正３】
【補正対象書類名】明細書
【補正対象項目名】００１０
【補正方法】変更
【補正の内容】
【００１０】
このような照明装置によると、線状光源の配列について、その配列間隔が相対的に狭い狭間隔部分と相対的に広い広間隔部分とを設けたため、狭間隔部分側においては、照明輝度を広間隔部分側よりも相対的に高めることが可能となる。一方、広間隔部分側においては、当該間隔を相対的に広くすることで線状光源の設置数減少によるコスト削減に寄与することが可能となる。なお、照明装置の用途により、部分的に高輝度で照明する領域と低輝度で照明する領域とに分けることが好ましい場合があり、例えば当該照明装置を利用して表示を行う表示装置においては、表示画面外側（周辺部分）は相対的に明るい表示を必要とせず、逆に表示画面内側（中心部分）は明るい表示を必要とする傾向にあるため、広間隔部分を表示装置外側、狭間隔部分を表示装置内側とすることが好ましい。
【手続補正４】
【補正対象書類名】明細書
【補正対象項目名】００１１
【補正方法】変更
【補正の内容】
【００１１】
ところで、上記のように線状光源の配列間隔に相違をもたせる場合には、相対的に照明輝度の高い狭間隔部分と相対的に照明輝度の低い広間隔部分との配置のバランスが非常に重要である。当該狭間隔部分と当該広間隔部分との照明輝度差が過大になると、全体として照明輝度分布が不均一となり、例えば当該照明装置を用いた表示装置において輝度ムラが生じる場合があった。
【手続補正５】
【補正対象書類名】明細書
【補正対象項目名】００１２
【補正方法】変更
【補正の内容】
【００１２】
本発明では、上記のように線状光源の配列に相違をもたせる構成に加えて、光反射部材に開口部を設けて、当該開口部の光反射部材全体に対する形成比率である開口率が、線状光源の狭間隔部分において、線状光源の広間隔部分よりも大きくなるように構成した。
線状光源から生じる光は、光出射側（例えば表示パネル側）へ直接出射されるもののみならず、光出射側とは異なる方向に発せられるものがあり、当該方向に発せられた光は、光反射部材により反射されて光出射側へ到達する仕組みとされており、これらの光を総じて照明輝度とされる。
【手続補正６】
【補正対象書類名】明細書
【補正対象項目名】００１３
【補正方法】変更
【補正の内容】
【００１３】
そこで、光反射部材に開口部を設けることにより、開口部は線状光源から生じる光を反射し難いため、光反射部材の光の反射量を減少させることができ、その結果、照明輝度を低下させることが可能となる。そして、当該開口部の光反射部材全体に対する形成比率である開口率を、線状光源の配列の狭間隔部分において広間隔部分よりも大きくすることで、狭間隔部分の照明輝度をより大きく低下させることができ、広間隔部分の照明輝度との差を小さくすることが可能となる。すなわち、光反射部材の開口率を調整することで、線状光源の配列の狭間隔部分と広間隔部分との照明輝度を調整することが可能となる。その結果、照明装置全体における照明輝度分布をなだらかにすることができ、例えば当該照明装置を用いた表示装置においては、上述したような輝度ムラ等の表示ムラを防止ないし抑制することが可能となる。
【手続補正７】
【補正対象書類名】明細書
【補正対象項目名】００１４
【補正方法】変更
【補正の内容】
【００１４】
なお、本発明に係る線状光源の配列間隔は種々の態様により実現できる。例えば、前記線状光源の前記狭間隔部分は、前記複数の線状光源の並び方向に対し、前記広間隔部分の内側に位置するものとすることができる。
また、前記線状光源の前記狭間隔部分は、当該線状光源の配列中央部に位置する一方、前記広間隔部分は当該線状光源の配列端部に位置するものとすることができる。
これ以外にも種々の態様があるが、以下において、狭間隔部分は当該線状光源の配列中央部に位置する一方、広間隔部分は当該線状光源の配列端部に位置する場合を例に挙げて各種態様を説明する。
【手続補正８】
【補正対象書類名】明細書
【補正対象項目名】００１５
【補正方法】変更
【補正の内容】
【００１５】
本発明の照明装置において、前記開口部は、前記線状光源の軸線方向に複数形成されており、当該方向に隣接する前記開口部同士の間隔が、前記狭間隔部分において、前記広間隔部分よりも小さくされてなるものとすることができる。
また、前記開口部は、前記線状光源の並列方向に複数形成されており、当該方向に隣接する前記開口部同士の間隔が、前記狭間隔部分において、前記広間隔部分よりも小さくされてなるものとすることができる。
【手続補正９】
【補正対象書類名】明細書
【補正対象項目名】００１６
【補正方法】変更
【補正の内容】
【００１６】
上記のそれぞれの場合、開口部を設ける間隔を調整することにより光反射部材の開口率を調整している。すなわち、開口部の間隔を、線状光源の狭間隔部分において広間隔部分よりも小さくすることにより、狭間隔部分にはより多数の開口部を設けることとなり、狭間隔部分における光反射部材の開口率は相対的に大きくなる。その結果、狭間隔部分の光の反射量を減少させて照明輝度を低下させることができるため、線状光源の狭間隔部分と広間隔部分との照明輝度分布をなだらかにすることが可能となる。
なお、線状光源の軸線方向は光反射部材の長手方向に相当するため、線状光源の軸線方向には並列方向に比してより多数の開口部を設けることができ、当該開口部の間隔をより多様に変化させることが可能となる。
【手続補正１０】
【補正対象書類名】明細書
【補正対象項目名】００１７
【補正方法】変更
【補正の内容】
【００１７】
前記開口部は、その面積が、前記狭間隔部分において、前記広間隔部分よりも大きくなるように形成されてなるものとすることができる。
この場合、開口部の面積（つまり、大きさ）を調整することにより光反射部材の開口率を調整している。すなわち、開口部を、その面積が、狭間隔部分において広間隔部分よりも大きくなるように形成することにより、狭間隔部分における光反射部材の開口率は相対的に大きくなる。その結果、狭間隔部分の光の反射量を減少させて照明輝度を低下させることができるため、線状光源の狭間隔部分と広間隔部分との照明輝度分布をなだらかにすることが可能となる。
【手続補正１１】
【補正対象書類名】明細書
【補正対象項目名】００１８
【補正方法】変更
【補正の内容】
【００１８】
前記線状光源は、相対的に高電圧となる高電圧部分と、相対的に低電圧となる低電圧部分とを有し、前記開口部は、前記光反射部材全体に対する当該開口部の形成比率である開口率が、前記高電圧部分において、前記低電圧部分よりも大きくなるように形成されてなるものとすることができる。
線状光源の輝度は、線状光源の高電圧部分において、低電圧部分よりも高くなる場合がある。そこで、開口部を、光反射部材全体に対する当該開口部の形成比率である開口率が、高電圧部分において低電圧部分よりも大きくなるように形成することにより、高電圧部分の光の反射量をより大きく減少させて照明輝度を低下させることができるため、低電圧部分の照明輝度との差を小さくすることが可能となる。その結果、照明輝度分布をなだらかにすることが可能となる。
【手続補正１２】
【補正対象書類名】明細書
【補正対象項目名】００１９
【補正方法】変更
【補正の内容】
【００１９】
前記開口部は、前記線状光源の軸線方向に複数形成されており、当該方向に隣接する前記開口部同士の間隔が、前記高電圧部分において、前記低電圧部分よりも小さくされてなるものとすることができる。
また、前記開口部は、前記線状光源の並列方向に複数形成されており、当該方向に隣接する前記開口部同士の間隔が、前記高電圧部分において、前記低電圧部分よりも小さくされてなるものとすることができる。
【手続補正１３】
【補正対象書類名】明細書
【補正対象項目名】００２０
【補正方法】変更
【補正の内容】
【００２０】
上記のそれぞれの場合、開口部を設ける間隔を調整することにより光反射部材の開口率を調整している。すなわち、開口部の間隔を、高電圧部分において低電圧部分よりも小さくすることにより、高電圧部分にはより多数の開口部を設けることとなり、高電圧部分における光反射部材の開口率は相対的に大きくなる。その結果、高電圧部分の光の反射量を減少させて照明輝度を低下させることができるため、高電圧部分と低電圧部分との照明輝度分布をなだらかにすることが可能となる。
なお、線状光源の軸線方向は光反射部材の長手方向に相当するため、線状光源の軸線方向には並列方向に比して相対的に多数の開口部を設けることができ、当該開口部の間隔をより多様に変化させることが可能となる。
【手続補正１４】
【補正対象書類名】明細書
【補正対象項目名】００２１
【補正方法】変更
【補正の内容】
【００２１】
前記開口部は、その面積が、前記高電圧部分において、前記低電圧部分よりも大きくなるように形成されてなるものとすることができる。
この場合、開口部の面積（つまり、大きさ）を調整することにより光反射部材の開口率を調整している。すなわち、開口部を、その面積が、線状光源の高電圧部分において低電圧部分よりも大きくなるように形成することにより、高電圧部分における光反射部材の開口率は相対的に大きくなる。その結果、高電圧部分の光の反射量を減少させて照明輝度を低下させることができるため、線状光源の高電圧部分と低電圧部分との照明輝度分布をなだらかにすることが可能となる。
【手続補正１５】
【補正対象書類名】明細書
【補正対象項目名】００２２
【補正方法】変更
【補正の内容】
【００２２】
また、前記線状光源と、前記開口部を有する前記光反射部材と、を収容するシャーシを備え、前記シャーシは、金属製の板金からなり、前記光反射部材の光反射率は、前記シャーシの光反射率よりも大きくされてなるものとすることができる。
この場合、線状光源から生じる光は、光反射部材で反射されるとともに、光反射部材に設けた開口部では、その開口部を通じて金属製のシャーシに達し、当該シャーシで反射されることとなる。そこで、光反射部材の光反射率を、シャーシの光反射率よりも大きくしておくことにより、開口部を形成した部分において反射光の量を低下させることができ、ひいては照明輝度を調整することが可能となる。
【手続補正１６】
【補正対象書類名】明細書
【補正対象項目名】００２３
【補正方法】変更
【補正の内容】
【００２３】
前記シャーシは、その表面のうち、少なくとも内側面の表面に白色系の色の塗装がなされているものとすることができる。
このように、光を反射し易い白色系の色の塗装をシャーシに施すことにより、シャーシの光反射性を高めることができるため、開口部においても、線状光源から生じる光を相対的に高い効率で反射することができ、当該光を有効に利用することが可能となる。
さらに、開口部とその周辺の通常部分（つまり、開口部が設けられていない部分）との輝度差を過度に大きくしないことにより、例えば表示装置用の照明装置として用いた場合にも、当該輝度差による開口部の視認を防止することが可能となる。
【手続補正１７】
【補正対象書類名】明細書
【補正対象項目名】００２５
【補正方法】変更
【補正の内容】
【００２５】
前記光反射部材と前記シャーシとの間には、透明又は白色系の部材が挿入されているものとすることができる。
この場合、線状光源から生じる光は、開口部では、当該光反射部材とシャーシとの間に挿入された部材で反射されることとなる。この部材を、光を反射し易い透明又は白色系とすることにより、相対的に高い効率で光を反射することができ、当該光を有効に利用することが可能となる。
さらに、開口部とその周辺の通常部分（つまり、開口部が設けられていない部分）との輝度差を過度に大きくしないことにより、例えば表示装置用の照明装置として用いた場合にも、当該輝度差による開口部の視認を防止することが可能となる。
【手続補正１８】
【補正対象書類名】明細書
【補正対象項目名】００２６
【補正方法】変更
【補正の内容】
【００２６】
また、前記光反射部材と前記シャーシとの間には、灰色系又は黒色の部材が挿入されているものとすることができる。
この場合も、線状光源から生じる光は、開口部では、光反射部材とシャーシとの間に挿入された部材により反射されることとなる。この部材を、光を反射し難い灰色系又は黒色とすることにより、部材の光反射率を低減させることができるため、当該部材と光反射部材との光反射率の差異をより大きくすることができ、開口部による照明輝度の調整能を一層大きくすることが可能となる。
【手続補正１９】
【補正対象書類名】明細書
【補正対象項目名】００２８
【補正方法】変更
【補正の内容】
【００２８】
前記線状光源を前記シャーシに支持するための光源支持部を備え、前記光反射部材には、前記光源支持部が挿通するための挿通孔が設けられており、前記開口部と前記挿通孔とは、互いに異なる面積とされてなるものとすることができる。
この場合、光反射部材には開口部とともに、異なる機能を有する開口（挿通孔）が設けられる構成となる。そこで、開口部と挿通孔とを、互いに異なる面積となるように形成することにより、開口部と挿通孔とが区別できるようになるため、照明装置の組立て時に両者を混同するおそれがなく、製造工程の簡便化が期待できる。
【手続補正２０】
【補正対象書類名】明細書
【補正対象項目名】００２９
【補正方法】変更
【補正の内容】
【００２９】
また、前記線状光源を前記シャーシに支持するための光源支持部を備え、前記光反射部材には、前記光源支持部が挿通するための挿通孔が設けられており、前記開口部と前記挿通孔とは、互いに異なる形状とされてなるものとすることができる。
この場合も、光反射部材には開口部とともに、異なる機能を有する開口（挿通孔）が設けられる構成となる。そこで、開口部と挿通孔とを、互いに異なる形状とすることにより、開口部と挿通孔とが区別できるようになるため、照明装置の組立て時に両者を混同するおそれがなく、製造工程の簡便化が期待できる。
【手続補正２１】
【補正対象書類名】明細書
【補正対象項目名】００６４
【補正方法】変更
【補正の内容】
【００６４】
以上説明したように、本実施形態によれば、開口部５１は、光反射シート４１の全体に対する開口部５１の形成比率である開口率が、冷陰極管１７の高電圧部分３０Ａにおいて低電圧部分３０Ｂより大きくなるように形成されている。
バックライト装置１４の照明輝度分布の不均一は、狭間隔部分１７Ａと広間隔部分１７Ｂとの配置のバランスのみならず、冷陰極管１７の電圧差によっても生じ得る。すなわち、冷陰極管１７の線状光源の輝度は、当該冷陰極管１７の高電圧部分３０Ａにおいて、低電圧部分３０Ｂよりも高くなる場合がある。
そこで、上記のように開口部５１の形成比率である開口率を、冷陰極管１７の高電圧部分３０Ａにおいて低電圧部分３０Ｂより大きくすることにより、低電圧部分３０Ｂに比して相対的に照明輝度の高い高電圧部分３０Ａにおいて、その光の反射量をより大きく減少させて照明輝度を低下させることができる。その結果、高電圧部分３０Ａと低電圧部分３０Ｂとの照明輝度の差を小さくすることができ、全体として照明輝度分布をなだらかにすることが可能となる。
【国際調査報告】
2009004840.tif 000020
2009004840.tif 000021
2009004840.tif 000022